(57)【要約】【課題】撮影を終了したタイミングによっては、意図しない映像が撮影、録画されてしまう。【解決手段】被写体を撮像して映像信号を生成する撮像手段と、撮像手段で生成された映像信号を所定の記録単位に分けて記録する記録手段６と、記録手段６による記録を停止する旨の指示を受け付ける録画停止手段７とを備え、録画停止手段７が記録停止の指示を受け付けたとき、記録手段６は、撮像手段が現在撮像している映像信号に代えて、記録単位を満たすまで所定の映像信号を記録して、記録を終了するので、録画停止をした際に、余分な映像が記録されることがない。【選択図】図１
2007104550.tif 000002
【特許請求の範囲】
【請求項１】
被写体を撮像して映像信号を生成する撮像手段と、
前記撮像手段で生成された映像信号を所定の記録単位に分けて記録する記録手段と、
前記記録手段による記録を停止する旨の指示を受け付ける録画停止手段と、を備え、
前記録画停止手段が記録停止の指示を受け付けたとき、前記記録手段は、前記撮像手段が現在撮像している映像信号に代えて、前記記録単位を満たすまで所定の映像信号を記録して、記録を終了する映像信号記録装置。
【請求項２】
前記録画停止手段が記録停止の指示を受け付けたときに、前記撮像手段によって撮像されている映像信号をホールドするホールド手段を備え、
前記記録手段によって記録される前記所定の映像信号は、前記ホールド手段によりホールドされた映像信号である請求項１記載の映像信号記録装置。
【請求項３】
前記録画停止手段が記録停止の指示を受け付けたときに、前記記録手段によって記録される前記所定の映像信号は、前記撮像手段によって撮像されている映像信号のホールド用コードである請求項１記載の映像信号記録装置。
【請求項４】
前記録画停止手段が記録停止の指示を受け付けたとき、前記撮像手段によって撮像されている映像信号が前記記録手段によってＢピクチャとして記録されるならば、前記記録手段は、続けてＩピクチャまたはＰピクチャまでの記録を行い、前記Ｉピクチャまたは前記Ｐピクチャのホールド用コードを所定の映像信号として記録する請求項３記載の映像信号記録装置。
【請求項５】
ブルーバック信号を出力するブルーバック化手段を備え、
前記録画停止手段が記録停止の指示を受け付けたとき、前記記録手段によって記録される前記所定の映像信号は、前記ブルーバック化手段によって出力されたブルーバック信号である請求項１記載の映像信号記録装置。
【請求項６】
被写体を撮像して映像信号を生成する撮像手段と、
前記撮像手段で生成された映像信号を所定の記録単位に分けて記録する記録手段と、
前記記録手段による記録を停止する旨の指示を受け付ける録画停止手段と、を備え、
前記録画停止手段が記録停止の指示を受け付けたとき、前記撮像手段によって撮像されている映像信号が前記記録手段によってＢピクチャとして記録されるならば、前記記録手段は、続けてＩピクチャまたはＰピクチャまでの記録を行い、前記Ｉピクチャまたは前記Ｐピクチャまで記録した記録単位を直前の記録単位と結合して１つの記録単位とする映像信号記録装置。
【請求項７】
前記録画停止手段が記録停止の指示を受け付けたとき、前記記録手段が記録中の記録単位内において記録した映像信号の時間長が０．４秒未満である請求項１から請求項６のいずれかに記載の映像信号記録装置。
【請求項８】
前記記録手段は、ＤＶＤ−Ｖｉｄｅｏ規格によるＭＰＥＧ２方式で記録を行う請求項１から請求項７のいずれかに記載の映像信号記録装置。
【請求項９】
所定の記録単位に分けて記録されている映像信号の再生を行う再生手段と、
再生する映像信号の記録単位が最後の記録単位であることを検出する第１の検出手段と、
再生する映像信号が所定の映像信号であることを検出する第２の検出手段と、を備え、
前記第１の検出手段により最後の記録単位であると検出され、前記第２の検出手段により所定の映像信号であると検出されたとき、前記再生手段は、前記所定の映像信号の再生を行わない映像信号再生装置。
【請求項１０】
前記第２の検出手段が検出する所定の映像信号は、映像信号をホールドするためのホールド用コードである請求項９記載の映像信号再生装置。
【請求項１１】
被写体を撮像して映像信号を生成する撮像ステップと、
前記撮像ステップにおいて生成された映像信号を所定の記録単位に分けて記録する記録ステップと、
前記記録ステップにおける記録を停止する旨の指示を受け付ける録画停止ステップと、を備え、
前記録画停止ステップにおいて記録停止の指示を受け付けたとき、前記記録ステップは、前記撮像ステップにおいて現在撮像している映像信号に代えて、前記記録単位を満たすまで所定の映像信号を記録して、記録を終了する映像信号記録方法。
【請求項１２】
被写体を撮像して映像信号を生成する撮像ステップと、
前記撮像ステップにおいて生成された映像信号を所定の記録単位に分けて記録する記録ステップと、
前記記録ステップにおける記録を停止する旨の指示を受け付ける録画停止ステップと、を備え、
前記録画停止ステップにおいて記録停止の指示を受け付けたとき、前記撮像ステップにおいて撮像されている映像信号が前記記録ステップにおいてＢピクチャとして記録されるならば、前記記録ステップにおいて、続けてＩピクチャまたはＰピクチャまでの記録を行い、前記Ｉピクチャまたは前記Ｐピクチャまで記録した記録単位を直前の記録単位と結合して１つの記録単位とする映像信号記録方法。
【請求項１３】
所定の記録単位に分けて記録されている映像信号の再生を行う再生ステップと、
前記再生ステップにおいて再生する映像信号の記録単位が最後の記録単位であることを検出する第１の検出ステップと、
前記再生ステップにおいて再生する映像信号が所定の映像信号であることを検出する第２の検出ステップと、を備え、
前記第１の検出ステップにおいて最後の記録単位であると検出され、前記第２の検出ステップにおいて所定の映像信号であると検出されたとき、前記再生ステップは、前記所定の映像信号の再生を行わない映像信号再生方法。
【発明の詳細な説明】
【技術分野】
【０００１】
本発明は映像信号記録装置、映像信号再生装置に関し、さらに詳しくは、ビデオムービーやビデオカメラであって、ＭＰＥＧ規格のプログラムストリームを記録または再生する装置に関する。
【背景技術】
【０００２】
従来の映像信号記録装置、映像信号再生装置は、国際規格化したＭＰＥＧ２（Ｍｏｖｉｎｇ  Ｐｉｃｔｕｒｅ  Ｅｘｐｅｒｔｓ  Ｇｒｏｕｐ  ２）方式を使用するとともに、ＡＣ３オーディオ圧縮方式を採用したＤＶＤ規格が多く用いられている。この規格は、ＭＰＥＧ２システムレイヤに従って、動画圧縮方式にＭＰＥＧ２方式をサポートし、音声圧縮方式にＡＣ３オーディオ圧縮方式及びＭＰＥＧオーディオ圧縮方式をサポートしている。メディア自身の規格としては、ＤＶＤビデオのメディアであるＤＶＤ―ＲＯＭの規格であるＤＶＤ−Ｖｉｄｅｏ規格が普及している。
【０００３】
この規格では、プログラムストリームは複数個のＶＯＢ（ビデオオブジェクト）で構成され、１つのＶＯＢは複数個のＶＯＢＵ（ビデオオブジェクトユニット）という記録単位で構成されている。１個のＶＯＢＵの再生時間は、通常、ビデオオブジェクトユニット中に含まれる１以上の映像グループ（グループオブピクチャ：略してＧＯＰ）で構成されるビデオデータの再生時間となる。通常、１ＧＯＰはＭＰＥＧ２規格では約０．５秒の映像データが格納される。また、ＤＶＤ−Ｖｉｄｅｏ規格では１ＶＯＢＵは１ＧＯＰ以上で構成され、更に、１ＶＯＢＵは０．４〜１．０秒となるように指定されている。また、最終のＶＯＢＵは０．４〜１．２秒となるように指定されている。
【特許文献１】特開２０００−１５６８４１号公報
【発明の開示】
【発明が解決しようとする課題】
【０００４】
しかしながら上記のような構成では、撮影を終了したタイミングによっては、意図しない映像が撮影、録画されてしまう。つまり、録画停止ボタンを押圧したタイミングが、ＶＯＢＵが更新された直後であった場合、押圧後約０．４秒間の映像が録画されるが、その間撮影者は録画を終了しているものと感じているため、例えばビデオムービーを保持している腕を降ろしたりして、地面が撮影、録画されてしまうという課題があった。
【０００５】
本発明は前記従来の課題を解決するもので、撮影者の意図しない映像が録画されることのない映像信号記録装置を提供するものである。
【課題を解決するための手段】
【０００６】
前記従来の課題を解決するために、本発明の映像信号記録装置は、被写体を撮像して映像信号を生成する撮像手段と、前記撮像手段で生成された映像信号を所定の記録単位に分けて記録する記録手段と、前記記録手段による記録を停止する旨の指示を受け付ける録画停止手段と、を備え、前記録画停止手段が記録停止の指示を受け付けたとき、前記記録手段は、前記撮像手段が現在撮像している映像信号に代えて、前記記録単位を満たすまで所定の映像信号を記録して、記録を終了するものである。
【０００７】
本構成によって、録画停止手段が記録停止の指示を受けた後に撮像手段によって撮像される映像が記録されない。
【０００８】
また、本発明の映像信号記録装置は、被写体を撮像して映像信号を生成する撮像手段と、前記撮像手段で生成された映像信号を所定の記録単位に分けて記録する記録手段と、前記記録手段による記録を停止する旨の指示を受け付ける録画停止手段と、を備え、前記録画停止手段が記録停止の指示を受け付けたとき、前記撮像手段によって撮像されている映像信号が前記記録手段によってＢピクチャとして記録されるならば、前記記録手段は、続けてＩピクチャまたはＰピクチャまでの記録を行い、前記Ｉピクチャまたは前記Ｐピクチャまで記録した記録単位を直前の記録単位と結合して１つの記録単位とする。
【０００９】
本構成によって、録画停止手段が記録停止の指示を受けた後に撮像手段によって撮像されている映像が記録されない。
【発明の効果】
【００１０】
本発明の映像信号記録装置によれば、録画停止をした際、余分な映像が記録されることがないという効果が得られる。
【発明を実施するための最良の形態】
【００１１】
以下、本発明を実施するための最良の形態について、図面を参照しながら説明する。
【００１２】
（実施の形態１）
図１は本願発明による映像信号記録装置及び映像信号再生装置を示すブロック図である。
【００１３】
この図を説明すると、撮像手段である撮像素子としてここではＣＣＤ（Ｃｈａｒｇｅ  Ｃｏｕｐｌｅｄ  Ｄｅｖｉｃｅ）を用いており、ＣＣＤ１によって得られた映像信号はＡ／Ｄ変換器２によってデジタル化され、画像メモリ３に格納される。
【００１４】
画像メモリ３に順次格納されていく映像信号が実質的にエンコーダ５によってＭＰＥＧ２方式によるプログラムストリームにエンコードされていく。録画停止手段７は、記録を停止する旨の指示を受け付ける。指示として、例えば、ここでは図示していない録画開始／停止ボタンによって与えられる停止信号を受けて、記録を停止する旨の指示とする。
【００１５】
ホールド手段４は、録画停止手段７が記録停止の指示を受け付けると、録画停止手段７が記録停止の指示を受けたときに、ＣＣＤ１で撮像された映像信号が画像メモリ３より出力されたところでホールドし、エンコーダ５に対して、このホールドしている映像信号を出力する。ここでは、停止信号が“１”になった時点の映像をホールドするようになっている。
【００１６】
エンコーダ５は、ホールド手段４より出力される映像信号を受け取り、所定の記録単位であるＶＯＢＵに分けてプログラムストリームとして記録手段６に出力する。また、録画停止手段７が記録停止の指示を受け付けたときに、エンコーダ５は、最小のＶＯＢＵのサイズである０．４秒分の映像信号を、最終のＶＯＢＵとしてエンコーダ５へ出力する。そして、記録手段６は、エンコーダ５によってプログラムストリームに変換された映像を、記録する。記憶手段６に記録されたプログラムストリームは必要に応じてデコーダ８によりデコードされ、映像出力として出力される。
【００１７】
なお、実際に録画開始／停止ボタンを押圧したタイミングと、その時点にＣＣＤ１に取り込まれた映像が実際に画像メモリ３より出力されるまでには時間的なズレがあるが、無論本実施の形態１においては、その時間的なズレについては補正されているものである。
【００１８】
次に、図１に示す映像信号記録装置の動作について図２とともに説明する。図２（Ａ）は録画停止手段７が受ける停止信号を示す波形図であり、ここでは、図２（Ａ）に示すとおり、時刻ｔ＝Ｔ０のタイミングで録画停止ボタンが押圧された場合を示している。図２（Ｂ）は画像メモリ３より出力される映像信号を示すものであり、図２（Ｃ）は記録手段６により記録されるプログラムストリームである。録画を開始し、録画停止ボタンが押圧されるまでの間（時刻ｔ＜Ｔ０）は、画像メモリ３より出力される映像は、ホールド手段４によって何ら処理を施されることなくそのままエンコーダ５に入力される（図２（Ｂ）、ｔ＜Ｔ０）。これらの映像がエンコーダ５によってプログラムストリームに変換されていく。
【００１９】
通常、エンコーダ５では、０．５秒分の映像をひと括りにし、ＶＯＢＵの単位でプログラムストリームに変換していく。例えば、時刻ｔ＝Ｔｖまで０．５秒分の映像は、エンコーダ５によりＶＯＢＵ２４に変換される。各ＶＯＢＵは図２（Ｃ）のハッチングで示したヘッダを有し、ヘッダに引き続きエンコードされた画像データや音声データが格納されている。
【００２０】
時刻ｔ＝Ｔ０で録画停止ボタンが押圧され、録画停止信号が発せられると、ホールド手段４では、時刻ｔ＝Ｔ０における映像をホールドし、以降ホールド映像として静止画を出力する（図２（Ｂ）、ｔ≧Ｔ０）。録画停止信号はエンコーダ５にも与えられており、録画停止信号が発せられると、エンコーダ５は、時刻ｔ＝Ｔｖから、最後のＶＯＢＵの最小値である、０．４秒分の映像をＶＯＢＵ２５としてプログラムストリームに変換する。ただし、ここでは０．４秒のＶＯＢＵとしているが、最終のＶＯＢＵは０．４〜１．２秒の間であれば良い。時刻ｔ＝Ｔｖから時刻ｔ＝Ｔ０の映像については、通常どおりに画像メモリ３出力をそのままプログラムストリームに変換し、時刻ｔ＝Ｔ０以降については、ホールド手段４によってホールドされた映像が入力されているので、そのホールドされた映像をプログラムストリームに変換する。変換されたプログラムストリームは順次、記録手段６に記録されていき、ＶＯＢＵ２５が最後のＶＯＢＵとして記録されるとエンコーダ５は変換処理を停止し、プログラムストリームが完結する。
【００２１】
本実施の形態１は、以上のように映像信号記録装置を構成することにより、録画停止ボタンを押圧後の映像が記録手段６に記録されることはなく、例えば、録画停止ボタン押圧後にビデオムービーを持つ腕を降ろしても、従来のように地面が撮影されたり、映像が大きく揺らいだりするようなこともない。また、エンコーダ５によってＭＰＥＧ２映像にエンコードされる映像が静止画となっているため、より少ないビットレートでのエンコードが可能となる。また、ホールド手段４によって、ホールド映像を出力する構成としたことで、エンコーダ５に設計の変更を加える必要無しに、本発明の実施の形態１の映像信号記録装置を実現することができる。
【００２２】
また、ホールド手段４として、映像信号記録装置に、搭載されているノイズリダクション回路などの、映像信号をキャッシュして出力することができる既存の回路を用いてもよい。この場合、ノイズリダクションのための係数の設定によって、原映像と同じ映像を出力することができる。このように、既存の回路を用いれば、本発明の実施の形態１の映像信号記録装置を安価に実現することができる。また、本実施の形態１の映像信号記録装置で記録された映像は、ＤＶＤ−Ｖｉｄｅｏ規格を満足する従来の映像信号再生装置で再生可能である。
【００２３】
また、ＭＰＥＧ２方式のＤＶＤ−Ｖｉｄｅｏ規格で映像信号を記録する場合、記録停止の指示受け付けたときに記録中の最終ＶＯＢＵが０．４秒未満であると、従来の映像信号記録装置では、ユーザが地面を撮影してしまう可能性が高いため、記録中の最終ＶＯＢＵの映像信号が０．４秒未満であるときに、撮像手段により現在撮像されている映像に代えてホールド手段によりホールド映像を出力して記録し、最終ＶＯＢＵ内の映像信号が０．４〜１．２秒になるようにしても良い。
【００２４】
（実施の形態２）
図３は本発明の実施の形態２における映像信号記録装置及び映像信号再生装置を示すブロック図である。図３において、図１と同一機能を有する構成については同一の符号を付し細かな説明は省略する。本実施の形態２では、録画停止ボタン押圧によって発せられる停止信号が録画停止手段３０に与えられて、録画停止手段３０が記録停止の指示を受けたことが、エンコーダ３１に伝わるようになっている。
【００２５】
録画停止手段３０は、図１の録画停止手段７と同様に、記録を停止する旨の指示を受け付ける。そして、エンコーダ３１は、画像メモリ３より出力される映像信号を受け取り、所定の記録単位であるＶＯＢＵに分けてプログラムストリームとして記録手段６に出力する。また、エンコーダ３１は、録画停止手段３０が記録停止の指示を受け付けたときに、ＣＣＤ１で撮像された映像信号を画像メモリ３より受け取り、この受け取った映像信号のホールド用のコードを生成し、ＶＯＢＵに分けてプログラムストリームとして記録手段６へ出力し、記録手段６はこのホールド用コードを含むＶＯＢＵを記録して、記録を停止する。ここで、ホールド用のコードとは、録画停止手段３０が記録停止の指示を受け付けたときにＣＣＤ１で撮像された映像信号（ピクチャ）をホールドするためのコードであり、例えば、ＰピクチャとＢピクチャにおいて、参照ピクチャとの差分がゼロとして符号化されたピクチャのことをいう。
【００２６】
次に、図３に示す映像信号記録装置の動作について図４とともに説明する。図４（Ａ）は停止信号を示す波形図であり、図４（Ｂ）は画像メモリ３より出力される映像信号を示すものであり、図４（Ｃ）は記録手段６により記録されるプログラムストリームである。図４（Ａ）時刻ｔ＝Ｔ０に録画停止ボタンが押圧され、その時刻直前の時刻ｔ＝Ｔｖまでに画像メモリ３より出力される映像は、図２で示した場合と同様、エンコーダ３１によって０．５秒分毎のＶＯＢＵの単位でプログラムストリームに変換されていく。例えば、時刻ｔ＝Ｔｖまで０．５秒分の映像は、エンコーダ３１によりＶＯＢＵ４４に変換される。
【００２７】
時刻ｔ＝Ｔ０で録画停止信号が発せられると、エンコーダ３１は、時刻ｔ＝Ｔ０における画像をＭＰＥＧ２にエンコードした後、その画像をホールドするためのホールド用コードを発生する。通常は０．５秒分の画像データのエンコードを行うが、録画停止信号が与えられたことにより最終ＶＯＢＵとなるＶＯＢＵ４５は、ＤＶＤ−Ｖｉｄｅｏ規格に基づき、時刻ｔ＝Ｔｖから０．４秒分の画像データのエンコードを行う。ただし、ここでは０．４秒のＶＯＢＵとしているが、最終のＶＯＢＵは０．４〜１．２秒の間であれば良い。
【００２８】
ここで、録画停止ボタンが押圧されるタイミングについて考えると、該当する時刻に対する画像がＩ、Ｐ、Ｂ、どのピクチャとなるかは全く不明である。仮に図８（１）における時刻Ｔ１で録画停止ボタンが押圧された場合、この画像が正しくエンコードされるにはその後にあるＰピクチャが必要である。よって、このように、録画停止ボタンが押圧されたタイミングがＢピクチャに相当する場合は、その直後に配置されるＰピクチャまでをエンコードし、それ以降をホールド用コードとしてエンコードするようにする。
【００２９】
このようにすることによって、最大２／３０秒（≒０．０６７秒）余分に録画されてしまうが、この程度であれば殆ど気が付かないレベルであり、余分な映像が記録されたという印象を与えずに済む。
【００３０】
また、図８（１）における時刻Ｔ３で録画停止ボタンが押圧された場合は、録画停止ボタン押圧時の画像がＰピクチャであるので、この画像はここで完結する。よって、直ちにそれ以降の画像をホールド用コードとしてエンコードする。
【００３１】
以上のように、本実施の形態２の映像信号記録装置を構成することで、録画停止ボタンを押圧後の映像が記録手段６に記録されることはなく、例えば、録画停止ボタン押圧後にビデオムービーを持つ腕を降ろしても、従来のように地面が撮影されたり、映像が大きく揺らいだりするようなこともない。また、ホールド用コードを記録するため、記録する映像信号のサイズを削減することができる。また、エンコーダ５によってＭＰＥＧ２映像にエンコードされる映像がホールド用コードでありホールドされた静止映像信号となっているため、より少ないビットレートでのエンコードが可能となる。また、本実施の形態２の映像信号記録装置で記録された映像は、ＤＶＤ−Ｖｉｄｅｏ規格を満足する従来の映像信号再生装置で再生可能である。
【００３２】
また、ＭＰＥＧ２方式のＤＶＤ−Ｖｉｄｅｏ規格で映像信号を記録する場合、記録停止の指示受け付けたときに記録中の最終ＶＯＢＵが０．４秒未満であると、従来の映像信号記録装置では、ユーザが地面を撮影してしまう可能性が高いため、記録中の最終ＶＯＢＵの映像信号が０．４秒未満であるときに、撮像手段により現在撮像されている映像に代えてホールド用コードを出力して記録し、最終ＶＯＢＵ内の映像信号が０．４〜１．２秒になるよう構成しても良い。
【００３３】
（実施の形態３）
図５は本願発明による映像信号記録装置及び、映像信号再生装置の実施の形態３を示すブロック図である。図５おいて、実施の形態１の図１と同一機能を有する構成については同一の符号を付し細かな説明は省略する。本実施の形態３では、録画停止ボタン押圧によって発せられる停止信号が“１”になった時点で、録画停止手段７が記録の停止を受け付けて、画像メモリ３より出力される映像信号をブルーバック化手段５４によってブルーバック信号に置き換えてエンコーダ５に入力しプログラムストリームに変換する。つまり、実施の形態１と異なる構成は、実施の形態１がホールド手段４によるホールドされた静止映像を出力するのに対して、実施の形態３ではブルーバック化手段５４によってブルーバック信号をエンコーダに対して出力することである。
【００３４】
今、録画停止ボタンが押圧され、録画停止信号が発せられて、録画停止手段７が記録停止の指示を受け付けると、ブルーバック化手段５４では、記録停止の指示の後においてＣＣＤ１により撮像された映像信号をブルーバックに置き換えて出力する。故にエンコーダ５は、録画停止ボタン押圧時以降はブルーバックを最終のＶＯＢＵとしてプログラムストリームに変換した後変換処理を停止し、プログラムストリームが完結する。
【００３５】
このように構成することにより、録画停止ボタンを押圧後の映像が記録手段６に記録されることはなく、例えば、録画停止ボタン押圧後にビデオムービーを持つ腕を降ろしても、従来のように地面が撮影されたり、映像が大きく揺らいだりするようなこともない。また、エンコーダ５によってＭＰＥＧ２映像にエンコードされる映像がブルーバックとなっているため、より少ないビットレートでのエンコードが可能となる。また、本実施の形態３の映像信号記録装置で記録された映像は、ＤＶＤ−Ｖｉｄｅｏ規格を満足する従来の映像信号再生装置で再生可能である。
【００３６】
また、ＭＰＥＧ２方式のＤＶＤ−Ｖｉｄｅｏ規格で映像信号を記録する場合、記録停止の指示受け付けたときに記録中の最終ＶＯＢＵが０．４秒未満であると、従来の映像信号記録装置では、ユーザが地面を撮影してしまう可能性が高いため、記録中の最終ＶＯＢＵの映像信号が０．４秒未満であるときに、撮像手段により現在撮像されている映像に代えてブルーバック化手段によりブルーバック信号を出力して記録し、最終ＶＯＢＵ内の映像信号が０．４〜１．２秒になるよう構成しても良い。
【００３７】
（実施の形態４）
図６は本発明の実施の形態４における映像信号再生装置（図５参照）の動作を示すフローチャートである。図５に示す映像信号記録装置によって記録されたプログラムストリームを図５の映像信号再生装置で再生すると、映像信号記録装置の録画停止手段７の記録停止の指示後に記録されたブルーバック映像が再生されず、実施の形態４の映像信号記録装置の録画停止ボタン押圧と同時のタイミングで再生が停止されるものである。
【００３８】
ここで、デコーダ８について説明する。デコーダ８は、記録手段６により記録されたプログラムストリームを読み出し、映像信号を順次デコードしていく。また、デコーダ８は、読み出された映像信号のＶＯＢＵが最後のＶＯＢＵであることを検出し、さらにデコードした映像信号（ピクチャ）がブルーバック映像であることを検出する。
【００３９】
次に、映像信号再生装置のデコード処理動作を、図６を参照して説明する。プログラムストリームのデコード処理が開始されると、まずプログラムストリームのピクチャを１つデコードする（ステップ６０）。デコードしたピクチャを保持するＶＯＢＵが最終ＶＯＢＵであるかをチェックし、最終ＶＯＢＵでない場合は、次のピクチャのデコードを行いステップ６０に戻り、最終ＶＯＢＵである場合はステップ６２に移る（ステップ６１）。ＶＯＢＵが最終ＶＯＢＵである場合に、デコードした映像信号（ピクチャ）がブルーバック信号であるかどうかをチェックする（ステップ６２）。ブルーバック信号でない場合は、この映像信号が最終ピクチャであるかを判断すし、最終ピクチャでない場合はステップ６０に戻り次のピクチャのデコードを行い、最終ピクチャである場合はステップ６４に移る（ステップ６５）。ステップ６２で映像信号（デコードしたピクチャ）がブルーバック信号であった場合は、このピクチャ以降の最終ＶＯＢＵ内のピクチャのデコードを中止する（ステップ６３）。そして、次に再生すべきプログラムストリームの有無をチェックし、そのようなストリームがない場合はデコードを終了し、次に再生すべきストリームがある場合は、次のストリームを読み込みステップ６０へ戻る（ステップ６４）。
【００４０】
なお、デコードされた映像信号の内、ステップ６２でブルーバック信号であると判断されたピクチャの再生は行わないものとする。
【００４１】
このように映像信号再生装置を構成し、動作させることにより、最終ＶＯＢＵでブルーバックを検出すると、ブルーバック信号のデコードを行わず、再生を行わないため、ユーザがブルーバック信号を視聴することが無く、実質的に実施の形態３の映像信号記録装置において録画停止ボタンが押圧された時刻でデコード処理が終了し、録画停止ボタンが押圧されたタイミングで映像が終了する。
【００４２】
なお、本実施の形態４の映像信号再生装置では、先に最終ＶＯＢＵであるかをチェックした後にブルーバックであるかどうかのチェックを行うようにしたが、ブルーバックであるかどうかのチェックを先にしても良いことは言うまでもない。要は最終ＶＯＢＵで且つブルーバックであるかどうかが分かれば良いものである。
【００４３】
また、ステップ６２においてデコード映像がブルーバックであるかをチェックしたが、実施の形態１の映像信号記録装置で生成されるようなホールド映像であるかどうかをチェックするようにしてもよい。或いは、ブルーバック、ホールド映像のいずれかであることを検出するようにしても同様の効果が得られることは明白である。
【００４４】
また、本実施の形態４の映像信号再生装置に対し、ＤＶＤ−Ｖｉｄｅｏ規格による他の機器によって記録された従来のプログラムストリームを再生しようとした場合であっても、最終ＶＯＢＵにホールド映像が記録されていたり、ブルーバック映像が記録されていたりすることは通常あり得ないので、これらを正しく再生できることは言うまでもない。
【００４５】
（実施の形態５）
図７は本発明の実施の形態５における映像信号再生装置（図３参照）のデコード処理動作を示すフローチャートである。実施の形態２の図３に示す映像信号記録装置によって記録されたプログラムストリームを図３の映像信号再生装置で再生すると、映像信号記録装置の録画停止手段３０の記録停止の指示後に記録されたホールド用コードの映像が再生されず、実施の形態２の映像信号記録装置の録画停止ボタン押圧と同時のタイミングで再生が停止されるものである。
【００４６】
実施の形態４の映像信号記録装置がデコードされた映像信号（ピクチャ）をチェックするのに対し、本実施の形態５の映像信号再生装置はデコードする前のピクチャコードがどうなっているかをチェックすることで同様の効果を得ようとするものである。
【００４７】
ここで、デコーダ９について説明する。デコーダ９は、記録手段６により記録されたプログラムストリームを読み出し、映像信号を順次デコードしていく。また、デコーダ９は、読み出した映像信号を保持するＶＯＢＵが最後のＶＯＢＵであることを検出し、さらに読み出した映像信号（ピクチャ）がホールド用のコードであることを検出する。
【００４８】
次に、映像信号再生装置のデコード処理動作について、図６を参照して説明する。プログラムストリームのデコード処理が開始されると、まずデコードしようとする映像信号が最終ＶＯＢＵであることかどうかを判断し、最終ＶＯＢＵでない場合は、ステップ７５に進み映像信号のデコードを行った後にステップ７１に戻り、最終ＶＯＢＵである場合は、ステップ７２に進む（ステップ７１）。デコードされる映像信号のコードが画像ホールド用のコードとなっているかどうかをチェックする（ステップ７２）。具体的には、参照ピクチャとの差分がゼロとなっているかをチェックする。ホールド用のコードでない場合は、ステップ７６へ進み、この映像信号が最終ピクチャであるかどうかを判断する（ステップ７６）。最終ピクチャで無い場合はステップ７５へ進み映像信号のデコードを行い、最終ピクチャである場合は、ステップ７７でデコードを行い、ステップ７４へ進む。そして、ステップ７２において、参照している映像信号がホールド用のコードであった場合は、この映像信号（ピクチャ）以降の最終ＶＯＢＵ内のピクチャのデコードを中止する（ステップ７３）。次に再生すべきプログラムストリームの有無をチェックし、そのようなストリームがない場合はデコードを終了し、次に再生すべきストリームがある場合は、次のストリームを読み込みステップ７１へ戻る（ステップ７４）。
【００４９】
このように映像信号再生装置を構成し、動作させることにより、最終ＶＯＢＵでホールド用コードを検出すると、ホールド用コードのデコードを行わず、再生を行わないため、ユーザがホールド用コードの映像を視聴することが無く、実質的に実施の形態２の映像信号記録装置において録画停止ボタンが押圧された時刻でデコード処理が終了し、録画停止ボタンが押圧されたタイミングで映像が終了する。
【００５０】
なお、本実施の形態５の映像信号再生装置では、ＤＶＤ−Ｖｉｄｅｏ規格によって記録された従来のプログラムストリームを再生しようとした場合、最終ＶＯＢＵにホールド用のコードが記録されていることは通常あり得ず、これらを正しく再生できることは言うまでもない。
【００５１】
また、本実施の形態５の映像信号再生装置では、先に最終ＶＯＢＵであるかをチェックした後にホールド用コードであるかどうかのチェックを行うようにしたが、ホールド用コードであるかどうかのチェックを先にしても良いことは言うまでもない。要は最終ＶＯＢＵで且つホールド用コードであるかどうかが分かれば良いものである。
【００５２】
また、実施の形態４の映像信号再生装置ではデコードされた画像をチェックするようになっており、本実施の形態５の映像信号再生装置ではデコードする符号自体をチェックするようにしているが、その両方をチェックする用にして良いことは言うまでもない。その場合は、最終ＶＯＢＵであるかどうかをチェックした後に、ピクチャがブルーバックであるかどうか判断し、その後に、ホールド用コードであるかどうかを判断すれば良い。
【００５３】
（実施の形態６）
図８は本発明の実施の形態６における映像信号記録装置におけるエンコード方式を示すための説明図である。このエンコード方式では、録画停止ボタンが押圧された場合、エンコーダにおいて押圧時刻の参照ピクチャがＢピクチャであるならば押圧時刻後で直近のＩピクチャ或いはＰピクチャまでのエンコードを行うようにし、そのＩピクチャ或いはＰピクチャが属するＶＯＢＵの直前のＶＯＢＵと結合して１個のＶＯＢＵとするとし、押圧時刻の参照ピクチャがＢピクチャ以外であるならば、そのＢピクチャが属するＶＯＢＵの直前のＶＯＢＵと結合して１個のＶＯＢＵとしたものである。また、ＶＯＢＵの結合時において、結合後のＶＯＢＵ内の映像信号の時間長はＤＶＤ−Ｖｉｄｅｏ規格を満たす０．４〜１．２秒であるものとする。
【００５４】
例えば、図８（１）録画停止ボタンが時刻ｔ＝Ｔ１、或いは、Ｔ２で押圧された場合、押圧時刻後で直近のＩピクチャ或いはＰピクチャである時刻ｔ＝Ｔ３までのエンコードを行うようにする。そのＰピクチャが属するＶＯＢＵ８２を、その直前のＶＯＢＵ８１と結合して、新たに図８（２）に示すとおりの１個のＶＯＢＵ８３としている。そして、この時、ＶＯＢＵ８３の時間長は０．４〜１．２秒を満たす時間長となっている。
【００５５】
これにより、ＶＯＢＵ８３は、ＤＶＤ−Ｖｉｄｅｏ規格を満たしており、また、このようにすることによって、ｔ＝Ｔ３以降の余分な映像が記録されることがない。但し、直近のＩピクチャ或いはＰピクチャまでのエンコードを行うため、録画停止ボタンの押圧時刻よりも最大２／３０秒（≒０．０６７秒）余分に録画されてしまうが、この程度であれば殆ど気にならないレベルであり、余分な映像が記録されたという印象をユーザに与えることはない。
【００５６】
このようにすることで、ＤＶＤ−Ｖｉｄｅｏ規格を満足しつつ録画停止ボタン押圧後の映像を記録しないようにでき、更に従来の映像信号再生装置でも再生可能である。
【００５７】
また、ＭＰＥＧ２方式のＤＶＤ−Ｖｉｄｅｏ規格で映像信号を記録する場合、記録停止の指示受け付けたときに記録中の最終ＶＯＢＵが０．４秒未満であると、従来の映像信号記録装置では、ユーザが地面を撮影してしまう可能性が高いため、記録中の最終ＶＯＢＵの映像信号が０．４秒未満であるときに、最終ＶＯＢＵと最終ＶＯＢＵの１つ前のＶＯＢＵとを結合しての結合後のＶＯＢＵ内の映像信号が０．４〜１．２秒になるよう構成しても良い。
【産業上の利用可能性】
【００５８】
本発明にかかる映像信号記録装置は、録画停止をした際、余分な映像が記録されることがなく録画が可能になるので、ビデオムービーやビデオカメラ等の映像信号記録装置として有用である。
【図面の簡単な説明】
【００５９】
【図１】本発明の実施の形態１における映像信号記録装置及び映像信号再生装置を示すブロック図
【図２】同映像信号記録装置及び映像信号再生装置の動作を示すタイミング図
【図３】本発明の実施の形態２における映像信号記録装置及び映像信号再生装置を示すブロック図
【図４】同映像信号記録装置及び映像信号再生装置の動作を示すタイミング図
【図５】本発明の実施の形態３における映像信号記録装置及び映像信号再生装置を示すブロック図
【図６】本発明の実施の形態４における映像信号再生装置のエンコード処理動作を示すフローチャート
【図７】本発明の実施の形態５における映像信号再生装置のエンコード処理動作を示すフローチャート
【図８】本発明の実施の形態６における映像信号記録装置のエンコード方式を示すための説明図
【符号の説明】
【００６０】
１    ＣＣＤ
２    Ａ／Ｄ変換機
３    画像メモリ
４    ホールド手段
５、３１    エンコーダ
６    記録手段
７、３０    録画停止手段
８、９    デコーダ
５４    ブルーバック化手段
【図１】
2007104550.tif 000003
【図２】
2007104550.tif 000004
【図３】
2007104550.tif 000005
【図４】
2007104550.tif 000006
【図５】
2007104550.tif 000007
【図６】
2007104550.tif 000008
【図７】
2007104550.tif 000009
【図８】
2007104550.tif 000010